(57)【特許請求の範囲】
【請求項１】
所定の厚み寸法を有し略直方体状に形成された金属製のベースと、絶縁された状態でベースに貫通固定される固定端子と、高周波信号を開閉するよう固定端子に接離する可動接触片と、ベースに配置される配置部から立設されるとともに固定端子を包囲するよう延設されて配置部と共にシールド部材を成す板状の包囲部を有し、切欠部が設けられるとともに可動接触片を包囲する状態でベースに配設される金属製のシールド部材と、を備えた高周波信号開閉装置において、
前記切欠部は、前記ベースとの間に空隙を形成するよう前記固定端子の周囲のベース側に設けられ、前記空隙の隙間寸法は、前記配置部の厚み寸法よりも僅かに大きくなっていることを特徴とする高周波信号開閉装置。
【請求項２】
前記ベースは所定の厚み寸法を有するとともに前記固定端子を絶縁状態で貫通固定するための貫通孔が厚み方向に設けられたものであって、前記厚み寸法は、前記貫通孔の内径以下であることを特徴とする請求項１記載の高周波信号開閉装置。
【発明の詳細な説明】
【０００１】
【発明の属する技術分野】
本発明は、高周波信号を開閉する高周波信号開閉装置に関するものである。
【０００２】
【従来の技術】
従来、この種の高周波信号開閉装置として、図４乃至図６に示すものが存在する。このものは、高周波リレーであって、所定の厚み寸法を有した金属製の板状のベースA と、ベースA に設けられた貫通孔A1にガラス製の絶縁部材B を充填した状態で貫通固定される固定端子C と、高周波信号を開閉するよう図６(a) 及び(b) に示すように固定端子C に接離する可動接触片E と、可動接触片E を支持する支持部F1が設けられて可動接触片E が固定端子C に接離するよう電磁石ブロックG により駆動されるカードF と、第１及び第２の切欠部H1,H2 が設けられるとともに可動接触片E を包囲する状態でベースA に配設される金属製のシールド部材H と、を備えている。
【０００３】
詳しくは、シールド部材H は、ベースA に配設される配置部H3及びその配置部H3から可動接触片E を包囲するよう延設された包囲部H4からなり、配置部H3には固定端子C が挿通されるよう第１の切欠部H1が設けられ、包囲部H4にはベースA とは反対側の端縁から切り欠かれた第２の切欠部H2が設けられて、駆動されたカードF に当接されないようになっている。
【０００４】
このもののインピーダンスＺは、(1) 式に示すように、絶縁部材の誘電率εr 、ベースの厚み寸法ｄ、ベースの貫通孔の内径Ｄというパラメータによって決定される。
【０００５】
【数１】
0003944989.tif 000002
【０００６】
【発明が解決しようとする課題】
上記した従来の高周波信号開閉装置にあっては、インピーダンスＺは、上記した各パラメータを変更することによって、所望の値に調整可能である。
【０００７】
しかしながら、所望のインピーダンスＺが、例えば、５０Ωというような、比較的高い値である場合、絶縁部材の誘電率εr を小さくすることによってインピーダンスＺを大きくしようとしても、絶縁部材B そのものの材質によって誘電率εr が決まってしまうのでおのずから限られてしまうし、また、ベースA の厚み寸法ｄを小さくすることによってインピーダンスＺを大きくしようとしても、ベースの厚み寸法ｄを小さくすると、機械的強度までもが小さくなってしまうし、さらに、ベースA の貫通孔の内径Ｄを大きくすることによってインピーダンスＺを大きくしようとしても、ベースA の貫通孔A1の内径Ｄを大きくするには、ベースA の幅寸法をも大きくなってしまって、高周波信号開閉装置そのものが大きくなってしまう。
【０００８】
このように、所望のインピーダンスＺが、例えば、５０Ωというような、比較的高い値である場合、調整がやり難いという問題点がある。
【０００９】
本発明は、上記の点に着目してなされたもので、その目的とするところは、インピーダンスの調整がやり易い高周波信号開閉装置を提供することにある。
【００１０】
【課題を解決するための手段】
上記した課題を解決するために、請求項１記載の発明は、所定の厚み寸法を有し略直方体状に形成された金属製のベースと、絶縁された状態でベースに貫通固定される固定端子と、高周波信号を開閉するよう固定端子に接離する可動接触片と、ベースに配置される配置部から立設されるとともに固定端子を包囲するよう延設されて配置部と共にシールド部材を成す板状の包囲部を有し、切欠部が設けられるとともに可動接触片を包囲する状態でベースに配設される金属製のシールド部材と、を備えた高周波信号開閉装置において、前記切欠部は、前記ベースとの間に空隙を形成するよう前記固定端子の周囲のベース側に設けられ、前記空隙の隙間寸法は、前記配置部の厚み寸法よりも僅かに大きくなっている構成にしてある。
【００１２】
請求項２記載の発明は、請求項１記載の発明において、前記ベースは所定の厚み寸法を有するとともに前記固定端子を絶縁状態で貫通固定するための貫通孔が厚み方向に設けられたものであって、前記厚み寸法は、前記貫通孔の内径以下である構成にしてある。
【００１３】
【発明の実施の形態】
本発明の一実施形態の高周波信号開閉装置は、高周波リレーであり、図１乃至図３に基づいて以下に説明する。
【００１４】
1 は金属製のベースで、所定の厚み寸法ｄを有した略直方体状に形成され、その長手方向の両端部及び中央部には、一方面1aから他方面1bへ貫通する貫通孔1cが厚み方向に設けられている。この貫通孔1cの内径Ｄとベース1 の厚み寸法ｄを比較すると、ベース1 の厚み寸法ｄは、貫通孔1cの内径Ｄ以下となっている。この貫通孔1cには、ガラス等の絶縁体2 が同心円状に外方面に付設された棒状の３本の固定端子、詳しくは、常開固定端子3a, 共通固定端子3b, 常閉固定端子3cが、それぞれ貫通固定される。これらの固定端子3a,3b,3cは、貫通孔1cの内縁部との間に絶縁体2 が位置することとなって、絶縁状態で貫通固定される。このベース1 は、その他方面1b側にアース端子4 が埋め込まれる埋込穴（図示せず）が設けられ、その埋め込まれたアース端子4 によって、例えば、実装されるプリント基板（図示せず）にアースされることとなる。5 は金属製のシールド部材で、ベース1 の一方面に配置される配置部5aを有している。この配置部5aは、固定端子3a,3b,3cの周囲に第１の切欠部5bが設けられている。この金属製のシールド部材5 は、ベース1 、絶縁体2 、固定端子3 及びアース端子4 と共に、固定端子ブロック20を構成する。
【００１５】
6 は鉄芯で、その両端部がコイルボビン7 からそれぞれ突出する状態でそのコイルボビン7 に貫通固定され、そのコイルボビン7 に仕切られた範囲にコイル8 が巻回されることによって、突出した一端部の両側が磁極部6a,6b となり、突出した他端部（図示せず）に、鉄芯6 と共に磁路を成す継鉄9 がかしめ固定される。この継鉄9 は、鉄芯6 と平行に、図１に示すように、コイル8 の側方及び下方で延伸され、コイル8 の側方で延伸された一端側の先端部9aが鉄芯6 の一方磁極部6aと対向し、コイル8 の下方で延伸されて更に上方に延設されたた他端側の先端部9bが鉄芯6 の他方磁極部6bと対向する。この継鉄9 は、鉄芯6 、コイルボビン7 及びコイル8 と共に、電磁石ブロック30を構成する。
【００１６】
10はカードで、成形材料により、略直方体状に形成され、その長手方向一端部に貫通孔10a が設けられ、その貫通孔10a に、互いの間に永久磁石11を介在させた一対の接極子12a,12b が配設されて、一方接極子12a が鉄芯6 の一方磁極部6aと継鉄9 の一端側の先端部9aとの間に位置し、他方接極子12b が鉄芯6 の他方磁極部6bと継鉄9 の他端側の先端部9aとの間に位置するようになる。
【００１７】
13a,13b はいずれも可動接触片で、導電金属板材よりなり、長手方向の両端部が２つに分岐している。これらの可動接触片13a,13b は、カード10の本体部分からそれぞれ延設された支持部10b により中央部がそれぞれ一体成形されることによって、中央部から延伸された両端部が固定端子3 に接離するよう、カード10に支持されている。これらの可動接触片13a,13b は、組み立てられた状態では、配置部5aから立設されるとともに各固定端子3a,3b,3cを包囲するよう延設されて配置部5aと共にシールド部材5 を成す板状の包囲部5cに包囲される。この包囲部5cは、ベース1 とは反対側から第２の切欠部5dが設けられるとともに、第１の切欠部5bに連通するよう、各固定端子3a,3b,3cの周囲に、詳しくは、ベース1 側に第３の切欠部5eが設けられて、ベース1 との間に空隙5fが形成されている。なお、空隙5fの隙間寸法は、配置部5aの厚み寸法よりも僅かに大きくなっている。
【００１８】
14は平衡ばねで、図１に示すように、平面視で略四辺形状に形成され、その長手方向の一端側が、平衡ばね保持板15に保持されるとともに、長手方向中央から他端14b にかけて、カード10の他端側の側面及び中央部上面に、そのもののばね力でもって沿った状態で配設される。この平衡ばね14は、カード10、永久磁石11、両接極子12a,12b 、可動接触片13及び平衡ばね保持板15と共に、可動接触片ブロック40を構成する。
【００１９】
16は基台で、一方が開口した箱状に形成され、固定端子ブロック20を配設する固定端子ブロック配設部16a 、電磁石ブロック30を配設する電磁石ブロック配設部16b 、可動接触片ブロック40の平衡ばね保持板15を挿入して支持する平衡ばね保持板支持部16c がそれぞれ設けられ、ケース17が開口側から被嵌される。
【００２０】
次に、動作を説明する。コイル8 に通電して励磁すると、一方接極子12a が鉄芯1 の一端磁極部1aに吸引されるとともに、他方接極子12b が継鉄9 の他端側の先端部9bに当接して閉磁路が形成される。このとき、カード10は、一端側が平衡ばね保持板15によって保持された平衡ばね14のばね力に抗して、両接極子12a,12b の動作に連動して平行移動する。この平行移動の際、カード10の支持部10b は、シールド部材5 の包囲部5cに設けられた第２の切欠部5dを通過する。
【００２１】
こうして、カード10が平行移動そうすると、図３(a) に示すように、常開固定端子3a及び共通固定端子3bに、一方可動接触片13a の両端部がそれぞれ接触するとともに、常閉固定端子3c及び共通固定端子3bから、他方可動接触片13b の両端部がそれぞれ開離して、シールド部材5 の板状の包囲部5cが折曲されて可動接触片の延伸方向に沿って設けられた接触部5gに接触する。このように、両可動接触片13a,13b が３本の固定端子3a,3b,3cに接離することによって、高周波信号が開閉される。
【００２２】
そして、コイル8 の通電を停止して励磁しなくなると、前述とは逆に、他方接極子12b が鉄芯1 の他端磁極部1bに当接するとともに、一方接極子12a が継鉄9 の一端側の先端部9aに当接して閉磁路が形成される。このとき、カード10は、平衡ばね14のばね力によって、前述とは逆方向へ平行移動する。この平行移動の際、カード10の支持部10b は、シールド部材5 の包囲部5cに設けられた第２の切欠部5dを通過する。
【００２３】
こうして、カード10が平行移動すると、同図(b) に示すように、常閉固定端子3c及び共通固定端子3bに、他方可動接触片13b の両端部がそれぞれ接触するとともに、常開固定端子3a及び共通固定端子3bから、一方可動接触片13a の両端部がそれぞれ開離して、シールド部材5 の接触部5gに接触する。このように、両可動接触片13a,13b が３本の固定端子3a,3b,3cに接離することによって、高周波信号が開閉される。
【００２４】
かかる高周波信号開閉装置にあっては、シールド部材5 は、固定端子3a,3b,3cを貫通固定するベース1 とは異なって、他の部材を支持するわけではないから、機械的強度をそれ程必要としないので、インピーダンスを大きくするよう第３の切欠部5eが設けられても、何ら問題が生じることはない。しかも、機械的強度が小さくなったり大型化してしまうためにインピーダンスを大きくし難いベース1 との間に空隙5fを形成するよう第３の切欠部5eが設けられることによって、ベース1 付近のインピーダンスを特に大きくすることができるので、インピーダンスを大きくするという調整を効率良く行うことができ、例えば、従来例では困難であった５０Ωというような、比較的高い値であっても、効率良く調整することができる。なお、両可動接触片13a,13b の短手方向の寸法を変更することによって、インピーダンスの微調整をすることができる。
【００２５】
また、そもそも、インピーダンスを大きくするという調整は、固定端子3a,3b,3cに流れる高周波信号のために行うのであるから、固定端子3a,3b,3cの周囲に第３の切欠部5eが設けられることによって、インピーダンスの調整を高率良く行うことができるという効果を、一段と奏することができる。
【００２６】
また、ベース1 の厚み寸法ｄが貫通孔1cの内径Ｄ以下であるから、機械的強度がそれ程低下することなく、かつ、ベース1 そのものをそれ程大型化することなく、ベース1 のインピーダンスを大きくすることができるので、本高周波信号開閉装置全体のインピーダンスを大きくするための第３の切欠部5eを必要最低限にシールド部材5 の包囲部5cに設ければよくなる。
【００２７】
なお、本実施形態では、第２の切欠部5eは、固定端子3a,3b,3cの周囲に設けられているが、例えば、インピーダンスの調整がやり易いのであれば、他の箇所に設けられてもよい。
【００２８】
また、ベース1 の厚み寸法ｄは、貫通孔1cの内径以下であるが、この寸法に限るものではない。
【００２９】
また、本実施形態は、シールド部材5 は、ベース1 に配置される配置部5aが設けられているが、包囲部5cが直接配置されるものでも、同様の効果を奏することができる。
【００３０】
また、本実施形態は、高周波リレーであるが、高周波用スイッチでも同様の効果を奏することができる。
【００３１】
【発明の効果】
請求項１記載の発明は、シールド部材は、固定端子を貫通固定するベースとは異なって、他の部材を支持するわけではないから、機械的強度をそれ程必要としないので、インピーダンスを大きくするよう切欠部が設けられても、何ら問題が生じることはない。しかも、機械的強度が小さくなったり大型化してしまうためにインピーダンスを大きくし難いベースとの間に空隙を形成するよう切欠部が設けられることによって、ベース付近のインピーダンスを特に大きくすることができるので、本高周波信号開閉装置のインピーダンスを大きくするという調整を効率良く行うことができる。
【００３２】
請求項１記載の発明は、そもそも、本高周波信号開閉装置のインピーダンスを大きくするという調整は、固定端子に流れる高周波信号のために行うのであるから、固定端子の両側という固定端子の近傍に切欠部が設けられることによって、インピーダンスの調整を高率良く行うことができるという上記の発明の効果を、一段と奏することができる。
できる。
【００３３】
請求項２記載の発明は、請求項１記載の発明の効果に加えて、ベースの厚み寸法が貫通孔の内径以下であるから、機械的強度がそれ程低下することなく、かつ、ベースそのものをそれ程大型化することなく、ベースのインピーダンスを大きくすることができるので、本高周波信号開閉装置のインピーダンスを大きくするための切欠部を必要最低限にシールド部材の包囲部に設ければよくなる。
【図面の簡単な説明】
【図１】本発明の一実施形態のシールド部材の切欠部を示す正面図である。
【図２】同上を示す分解斜視図である。
【図３】同上の固定端子と可動接触片との接離状態を示す平面図である。
【図４】従来例を示す分解斜視図である。
【図５】同上のシールド部材の切欠部を示す正面図である。
【図６】同上の固定端子と可動接触片との接離状態を示す平面図である。
【符号の説明】
1     ベース
1c    貫通孔
3a    常開固定端子
3b    共通固定端子
3c    常閉固定端子
5     シールド部材
5e    第３の切欠部
5f    空隙
13a   一方可動接触片
13b   他方可動接触片
ｄ    厚み寸法
Ｄ    内径
【図１】
0003944989.tif 000003
【図２】
0003944989.tif 000004
【図３】
0003944989.tif 000005
【図４】
0003944989.tif 000006
【図５】
0003944989.tif 000007
【図６】
0003944989.tif 000008